(57)【特許請求の範囲】
【請求項１】
建物の中間層に免震装置を取り付ける取付構造であって、
前記免震装置と固定される下層側の柱梁接合部と、
前記免震装置と固定される上層側の柱梁接合部と、を備え、
前記下層側の柱梁接合部の下部は、第一のＰＣａ部材で構成され、
前記上層側の柱梁接合部の下部は、第二のＰＣａ部材で構成され、
前記第一及び第二のＰＣａ部材は、それぞれ、前記柱梁接合部の補強筋を構成する鉄筋が植設され、
前記第一のＰＣａ部材は、前記下層側の柱梁接合部に接合される下層側の柱主筋が貫通する孔部を備える板状のＰＣａ部材であり、
前記下層側の梁柱接合部は、
前記免震装置が固定されるベースプレートと、
前記第一のＰＣａ部材上に設置され、前記ベースプレートを支持する架台と、を備え、
前記架台は、前記下層側の柱梁接合部に接合される梁の梁主筋に固定される、
ことを特徴とする取付構造。
【請求項２】
請求項１に記載の取付構造であって、
前記第二のＰＣａ部材は、前記上層側の柱梁接合部に接合される上層側の柱主筋に接続される柱主筋が植設され、かつ、前記免震装置が固定されるベースプレートが埋設された板状のＰＣａ部材である、
ことを特徴とする取付構造。
【請求項３】
建物の中間層に免震装置を取り付ける取付工法であって、
前記免震装置と固定される下層側の柱梁接合部を施工する工程と、
前記下層側の柱梁接合部上に前記免震装置を施工する工程と、
前記免震装置上に、前記免震装置と固定される上層側の柱梁接合部を施工する工程と、を含み、
前記下層側の柱梁接合部の底部は、第一のＰＣａ部材で構成され、
前記上層側の柱梁接合部の底部は、第二のＰＣａ部材で構成され、
前記第一及び第二のＰＣａ部材は、それぞれ、前記柱梁接合部の補強筋を構成する鉄筋が植設され、
前記第一のＰＣａ部材は、前記下層側の柱梁接合部に接合される下層側の柱主筋が貫通する孔部を備える板状のＰＣａ部材であり、
前記下層側の梁柱接合部は、
前記免震装置が固定されるベースプレートと、
前記第一のＰＣａ部材上に設置され、前記ベースプレートを支持する架台と、を備え、
前記架台は、前記下層側の柱梁接合部に接合される梁の梁主筋に固定される、
ことを特徴とする取付工法。
【発明の詳細な説明】
【技術分野】
【０００１】
本発明は、建物の中間層に免震装置を取り付ける技術に関する。
【背景技術】
【０００２】
建物の免震構造の一つとして、基礎部分に免震装置を介装する構造が知られている（基礎免震）。免震装置は、代表的には、上下のフランジプレート間に積層ゴムを設けて構成される。免震装置の取り付けにあたっては、上下のフランジプレートを利用して免震装置が基礎部分に固定される。免震装置が固定される基礎部分の構成としては、ＰＣａ（プレキャスト）部材を用いて施工性を向上しようとした技術が提案されている（特許文献１〜３）。
【先行技術文献】
【特許文献】
【０００３】
【特許文献１】特許第５２３２１０６号公報
【特許文献２】特許第３８０３４３４号公報
【特許文献３】特開２０１２−６７５２４号公報
【発明の概要】
【発明が解決しようとする課題】
【０００４】
基礎免震に代わる免震構造として、高層部の免震化に適した中間層免震が提案されている。中間層免震では免震装置が建物の中間層に介装される。具体的な介装部位としては、上下の柱梁接合部間が挙げられるが、高所での作業となるため労務削減や工期短縮が要望されるところ、柱梁接合部には主筋や補強筋等の鉄筋が密集する上、免震装置を取り付けるために作業が複雑化し易い。
【０００５】
本発明の目的は、建物の中間層への免震装置の取り付けにあたり、その施工性を向上することにある。
【課題を解決するための手段】
【０００６】
本発明は、建物の中間層に免震装置を取り付ける取付構造であって、前記免震装置と固定される下層側の柱梁接合部と、前記免震装置と固定される上層側の柱梁接合部と、を備え、前記下層側の柱梁接合部の下部は、第一のＰＣａ部材で構成され、前記上層側の柱梁接合部の下部は、第二のＰＣａ部材で構成され、前記第一及び第二のＰＣａ部材は、それぞれ、前記柱梁接合部の補強筋を構成する鉄筋が植設され、前記第一のＰＣａ部材は、前記下層側の柱梁接合部に接合される下層側の柱主筋が貫通する孔部を備える板状のＰＣａ部材であり、前記下層側の梁柱接合部は、前記免震装置が固定されるベースプレートと、前記第一のＰＣａ部材上に設置され、前記ベースプレートを支持する架台と、を備え、前記架台は、前記下層側の柱梁接合部に接合される梁の梁主筋に固定される、ことを特徴とする。
【０００７】
また、本発明は、建物の中間層に免震装置を取り付ける取付工法であって、前記免震装置と固定される下層側の柱梁接合部を施工する工程と、前記下層側の柱梁接合部上に前記免震装置を施工する工程と、前記免震装置上に、前記免震装置と固定される上層側の柱梁接合部を施工する工程と、を含み、前記下層側の柱梁接合部の底部は、第一のＰＣａ部材で構成され、前記上層側の柱梁接合部の底部は、第二のＰＣａ部材で構成され、前記第一及び第二のＰＣａ部材は、それぞれ、前記柱梁接合部の補強筋を構成する鉄筋が植設され、前記第一のＰＣａ部材は、前記下層側の柱梁接合部に接合される下層側の柱主筋が貫通する孔部を備える板状のＰＣａ部材であり、前記下層側の梁柱接合部は、前記免震装置が固定されるベースプレートと、前記第一のＰＣａ部材上に設置され、前記ベースプレートを支持する架台と、を備え、前記架台は、前記下層側の柱梁接合部に接合される梁の梁主筋に固定される、ことを特徴とする。
【発明の効果】
【０００８】
本発明によれば、建物の中間層への免震装置の取り付けにあたり、その施工性を向上することができる。
【図面の簡単な説明】
【０００９】
【図１】本発明の一実施形態に係る取付構造の説明図。
【図２】（Ａ）及び（Ｂ）はＰＣａ部材の説明図。
【図３】（Ａ）及び（Ｂ）は本発明の一実施形態に係る取付工法の説明図。
【図４】（Ａ）及び（Ｂ）は本発明の一実施形態に係る取付工法の説明図。
【図５】（Ａ）及び（Ｂ）は本発明の一実施形態に係る取付工法の説明図。
【図６】（Ａ）及び（Ｂ）は本発明の一実施形態に係る取付工法の説明図。
【発明を実施するための形態】
【００１０】
図１は本発明の一実施形態に係る取付構造１の説明図である。図１は、説明の便宜上、取付構造１の主要な構成を図示したものであり、細部の構成（例えば配筋等）は図示を省略している。
【００１１】
取付構造１は、ＲＣ造或いはＳＲＣ造の建物の中間層に免震装置２を取り付ける構造であり、図１の例の場合、Ｎ階部分に免震装置２が取付けられている。免震装置２を設けたことにより、Ｎ＋１階以上の階層での応答せん断力が減少し、また、Ｎ−１階以下の階層においても、高層部が振られにくくなった分だけ応答せん断力が減少する。Ｎ階は例えば１０階前後の階層であり、その下層側は例えば商用施設とし、上層側は例えば住居部分とされる。
【００１２】
免震装置２は、下層側（Ｎ−１階）の柱梁接合部３と、上層側（Ｎ＋１階）の柱梁接合部４との間に介装されている。免震装置２は、下側のフランジプレート２１と、上側のフランジプレート２２と、これらのフランジプレート２１、２２間に設けられた積層ゴム２３と、を備える。柱梁接合部３は、フランジプレート２１にボルトｂで締結されて免震装置２と固定される。柱梁接合部４は、フランジプレート２２にボルトｂで締結されて免震装置２と固定される。
【００１３】
柱梁接合部３は直方体形状をなし、柱梁接合部３には、下層側の柱５と、梁６、６とが接続されている。図１の例では、柱梁接合部３の左右に梁６、６が接続されている構成を例示しているが、梁の接続態様としてはこれに限られず、平面視で十字型、Ｔ字型或いはＬ字型に交差するように接続される構成も採用可能である。
【００１４】
柱５は、上下方向に延びる柱主筋５１を複数備え、その上端部が柱梁接合部３に埋設されて定着されている。梁６、６は、左右方向に延びる梁主筋６２を複数備え、柱梁接合部３内で左右の梁主筋６２、６２が互いに接続されている。梁主筋６２の周りにはあばら筋６３が複数配筋されている。梁６の一部はＰＣａ部材６１で構成され、残りのコンクリート部分は現場打ちとしている。なお、梁６の全体をＰＣａ部材で構成することも可能である。梁６の上部には、不図示のスラブが一体的に形成されている。
【００１５】
柱梁接合部４は直方体形状をなし、柱梁接合部４には、上層側の柱９と、梁７、７とが接続されている。図１の例では、柱梁接合部４の左右に梁７、７が接続されている構成を例示しているが、梁の接続態様としては他の接続態様も採用可能であることは梁６と同様である。
【００１６】
柱９は、上下方向に延びる柱主筋９１を複数備え、柱梁接合部４から上方へ延びる柱主筋９１ｂと接続されている。柱主筋９１ｂは柱梁接合部４に埋設されている柱主筋９１ａと接続されており、柱主筋９１ａの下端部は柱梁接合部４に定着されている。梁７、７は、左右方向に延びる梁主筋７２を複数備え、柱梁接合部４内で左右の梁主筋７２、７２が互いに接続されている。梁主筋７２の周りにはあばら筋７３が複数配筋されている。梁７の一部はＰＣａ部材７１で構成され、残りのコンクリート部分は現場打ちとしている。なお、梁７の全体をＰＣａ部材で構成することも可能である。梁７の上部には、スラブ８が一体的に形成されている。
【００１７】
次に、柱梁接合部３について説明する。柱梁接合部３は、その下部を構成するＰＣａ部材３１と、残りのコンクリート部分を構成する現場打ち部分３２と、補強筋群３３、３４と、ベースプレート３５と、金具３６と、アンカー３７と、架台３８と、を含む。
【００１８】
Ｎ階部分の階高が大きい場合、柱梁接合部３の底部コンクリートを型枠で現場打ちするには手間がかかる。そこで、柱梁接合部３の下部はＰＣａ部材３１により構成している。図１及び図２（Ａ）を参照してＰＣａ部材３１について説明する。
【００１９】
図２（Ａ）はＰＣａ部材３１の構造の説明図である。ＰＣａ部材３１は、本実施形態の場合、方形の板状をなしており、その中央部には柱主筋５１が貫通する孔部３１ａが形成されている。また、ＰＣａ部材３１には、補強筋群３３が植設されている。補強筋群３３はＰＣａ部材３１の制作時に打ち込まれる鉄筋かごにより形成されている。補強筋群３３は主に、柱梁接合部３の中央部から下部の補強筋を構成する。
【００２０】
図１を参照して、補強筋群３４は現場で配筋される鉄筋群であり、柱梁接合部３の中央部から上部の補強筋を構成する。ベースプレート３５は、柱梁接合部３の上面に配設され、免震装置２が固定される。ベースプレート３５の下面には、複数の金具３６が固着されている。金具３６はネジ孔を備えた筒状の部材であり、この金具３６を介してアンカー３７がベースプレート３５に固定される。アンカー３７は、その上端部に金具３６と締結されるネジ部を備えたロッド状の部材（例えばねじ節鉄筋等）ており、その下端部には、柱梁接合部３に定着される定着部（鍔付きナット等）が設けられている。
【００２１】
ベースプレート３５には、一部の金具３６のネジ孔と連通した貫通孔が形成されている。この貫通孔にボルトｂを挿通して金具３６と締結することで、ベースプレート３５とフランジプレート２１とを固定することができる。架台３８は施工時にベースプレート３５を支持する台状の部材であり、後述するようにＰＣａ部材３１上に載置される。
【００２２】
次に、柱梁接合部４について説明する。柱梁接合部４は、その下部を構成するＰＣａ部材４１と、残りのコンクリート部分を構成する現場打ち部分４２と、補強筋群４３、４４と、ベースプレート４５と、金具４６と、アンカー４７と、架台３８と、柱主筋９１ａ、９１ｂと、を含む。
【００２３】
柱梁接合部３と同様、Ｎ階部分の階高が大きい場合、柱梁接合部４の底部コンクリートを型枠で現場打ちするには手間がかかる。そこで、柱梁接合部４の下部はＰＣａ部材４１により構成している。図１及び図２（Ｂ）を参照してＰＣａ部材４１について説明する。
【００２４】
図２（Ｂ）はＰＣａ部材４１の構造の説明図である。ＰＣａ部材４１は、本実施形態の場合、方形の板状をなしており、その底面にはベースプレート４５が埋設されている。また、ＰＣａ部材４１には、補強筋群４３と、複数の柱主筋９１ａと、複数のアンカー４７とが植設されている。
【００２５】
補強筋群４３はＰＣａ部材４１の制作時に打ち込まれる鉄筋かごにより形成されている。補強筋群４３は主に、柱梁接合部４の中央部から下部の補強筋を構成する。柱主筋９１ａは、その下端部にＰＣａ部材４に定着される定着部が設けられており、ＰＣａ部材４１から上方へ延びている。本実施形態の場合、柱主筋９１ａは柱主筋９１ｂを介して柱主筋９１に接続される構成としているが、柱主筋９１ａの全長を長くすることで、柱主筋９１ｂを介さずに柱主筋９１と接続する構成も採用可能である。
【００２６】
ベースプレート４５に免震装置２が固定される。ベースプレート４５の上面には、複数の金具４６が固着されている。金具４６はネジ孔を備えた筒状の部材であり、この金具４６を介してアンカー４７がベースプレート４５に固定される。アンカー４７は、その下端部に金具４６と締結されるネジ部を備えたロッド状の部材（例えばねじ節鉄筋等）であり、その上端部には、柱梁接合部４に定着される定着部（鍔付きナット等）が設けられている。
【００２７】
ベースプレート４５には、一部の金具４６のネジ孔と連通した貫通孔４５ａが形成されている。この貫通孔４５ａにボルトｂを挿通して金具４６と締結することで、ベースプレート４５とフランジプレート２２とを固定する。
【００２８】
図１を参照して、補強筋群４４は現場で配筋される鉄筋群であり、柱梁接合部４の中央部から上部の補強筋を構成する。
【００２９】
次に、図３〜図６を参照して免震装置２の取付工法の例について説明する。柱５の施工後、柱梁接合部３及び梁６を施工する。まず、図３（Ａ）に示すように、支保工１０を適宜仮設した後、柱梁接合部３を構成するＰＣａ部材３１を、柱主筋５１が孔３１ａを通過するようにして柱５上に配設する。また、梁６を構成するＰＣａ部材６１、６１を柱梁接合部３の左右に配設する。
【００３０】
続いて、図３（Ｂ）に示すように、補強筋群３４等の配筋、左右の梁主筋６２、６２の接続、不図示のスラブ用のオムニア板の設置や配筋等を行う。また、この作業と前後して、図４（Ａ）に示すように、ベースプレート３５と、架台３８との配設を行う。まず、架台３８をＰＣａ部材３１上に載置する。ＰＣａ部材３１が板状であるため、その上面への架台３８の設置が比較的容易であると共に位置精度が出し易いという利点がある。架台３８は、梁主筋６２に固定することができる。
【００３１】
架台３８の設置が完了すると、その上にベースプレート３５を載置し、適当な方法で固定する。その後、型枠の設置と、柱梁接合部３、梁６及びスラブのコンクリートの打設作業を行う。
【００３２】
これらの作業と並行して、図４（Ｂ）に示すように、柱梁接合部４及び梁７の配筋等の先組みを行うことができる。同図の例では、柱梁接合部４を構成するＰＣａ部材４１の左右に梁７を構成するＰＣａ部材７１、７１を配設し、補強筋群４４等の配筋、左右の梁主筋７２、７２の接続、柱主筋９１ａと柱主筋９１ｂとの接続等の地組みを行った場合を例示している。なお、先組みするのは、柱梁接合部４の構成部分のみとし、梁７を構成するＰＣａ部材７１、７１の少なくとも一つについては、現場で組んでもよい。
【００３３】
柱梁接合部３等の現場打ちコンクリートの養生後、図５（Ａ）に示すように柱梁接合部３上に免震装置２を施工する。ここでは、ベースプレート３５にフランジプレート２１をボルトｂで固定する。続いて図５に示すように支保工１１を仮設し、先組みしたＰＣａ部材４１等のユニットを支保工１１及び免震装置２上に載置し、免震装置２にＰＣａ部材４１を固定する。ここでは、ベースプレート４５にフランジプレート２２をボルトｂで固定する。その後、スラブ８用のオムニア板の設置や配筋等を行う。更に、型枠の設置と、柱梁接合部４、梁７及びスラブ８のコンクリートの打設作業を行う。
【００３４】
柱梁接合部３等の現場打ちコンクリートの養生後、図６（Ａ）に示すように免震装置２の取付が完了する。その後、図６（Ｂ）に示すように柱９の施工を行って、順次上層階を構築していくことになる。
【００３５】
以上の通り、本実施形態では、柱梁接合部３、４の各下部をＰＣａ部材３１、４１で構成した。本実施形態のように中間層に免震装置２を取り付ける場合、階高が大きくなると高所作業となるため、柱梁接合部３、４の底部コンクリートを型枠で現場打ちするには手間がかかるところ、本実施形態では、柱梁接合部３、４の各下部をＰＣａ部材３１、４１とすることで、作業の効率及び安全性を向上することができる。柱梁接合部３、４のうち、ＰＣａ部材３１、４１とする範囲は適宜設計でき、広い方が現場作業を削減でき、例えば、梁主筋を打ち込まない厚さから下側半分程度の範囲内としてもよい。
【００３６】
柱梁接合部３、４には、柱・梁主筋、補強筋群、アンカーが密集し、非常に混んだ状態となる。本実施形態では、ＰＣａ部材３１、４１に補強筋群３３、４３を植設した構成とした。これにより、現場配筋量を削減するだけでなく、柱・梁主筋やアンカー等をかわした位置に補強筋群３３、４３を配置した構成としておくことができ、より高い精度での配筋が可能となる。これにより、現場配筋する際の鉄筋間の干渉を回避し易くなり、施工性を向上できる。
【００３７】
ＰＣａ部材３１を板状とし、その上面に架台３８を載置する構成としたことで、架台３８の位置決めや固定をより確実に行うことができ、ベースプレート３５の位置精度を向上できる。これにより、免震装置２の取付位置精度を向上することができる。
【００３８】
ＰＣａ部材４１にはベースプレート４５を埋設した構成としたので、その位置をＰＣａ部材４１の制作時に調整でき、位置精度を向上できる。これにより、免震装置２の取付位置精度を向上することができる。また、ＰＣａ部材４１には、また、柱主筋９１ａを植設した構成としたので、その位置をＰＣａ部材４１の制作時に調整でき、位置精度を向上できる。
【符号の説明】
【００３９】
１  取付構造、２  免震装置、３  柱梁接合部、４  柱梁接合部、３１  ＰＣａ部材、３３  補強筋群、４１  ＰＣａ部材、４３  補強筋群
【図１】
0006359349.tif 000002
【図２】
0006359349.tif 000003
【図３】
0006359349.tif 000004
【図４】
0006359349.tif 000005
【図５】
0006359349.tif 000006
【図６】
0006359349.tif 000007